(57)【要約】【課題】  多種類の被記録媒体を切断する場合でも、被記録媒体の切り出し部分が斜めになったり、切断できなかったり、フチなし印字の画像の印字面に傷をつけてしまったりすることを防止する画像記録装置を提供する。【解決手段】  切断手段に、被記録媒体を切断位置までガイドするガイド部高さの切換えが可能なガイド部材を有する。【選択図】  図４
2007144721.tif 000002
【特許請求の範囲】
【請求項１】
ロール状の被記録媒体を搬送する搬送手段と、前記搬送手段により搬送される前記被記録媒体に対して画像を記録するための記録ヘッドと、前記搬送手段により搬送される前記被記録媒体を切断する切断手段と、を有する画像記録装置において、
前記切断手段は、前記切断手段の切断方向先端側に配置され、前記被記録媒体を切断位置までガイドし、且つ、ガイド部高さの切換えが可能なガイド部材を有することを特徴とする画像記録装置。
【請求項２】
前記ガイド部材は、前記被記録媒体の厚さに応じて、ガイド部高さが切換わることを特徴とする請求項１に記載の画像記録装置。
【発明の詳細な説明】
【技術分野】
【０００１】
本発明は、ロール状の被記録媒体をシート状に切断するための切断手段を具備したプリンタ、複写機、ファクシミリ等の画像記録装置に関する。
【背景技術】
【０００２】
従来、この種の画像記録装置としては、ロール状の被記録媒体を収容し、記録ヘッドの走査（往復動作）により画像データを記録して、画像データを記録した被記録媒体をページ毎に切断するものがある。画像データが入力されると、被記録媒体をプラテンまで送り、その上部を記録ヘッドが往復動作を行う。記録ヘッドの走査（往復動作）により１走査分の画像を記録し、搬送ローラにより被記録媒体を間欠的に所定のピッチで送り、その後にまた記録ヘッドを走査させ１走査分の画像を記録し、これを繰り返してページ全体に画像を記録する。被記録媒体の記録済み部は、装置の外部に設けている排紙部材に案内され、切断手段によりページ毎に切り離される。ページ毎に切断された被記録媒体は、排紙部材の下方に設けられているスタック部材に収納される。
【０００３】
上記一連の動作において、被記録媒体の切断時には、被記録媒体の切断突入部において、切断手段の刃が被記録媒体端部を押し、たわみを発生させてから切断していくため、切断された被記録媒体の切り出し部分が大きく斜めになるおそれがある。このことを防止するために、次に挙げる構成が開示されている。
【０００４】
従来の画像記録装置には、切断手段の切断方向先端側に被記録媒体かき寄せ部を、被記録媒体かき寄せ部と切断点の間には案内部を設け、被記録媒体のたわみを抑えて、メディアを正確に切断するようにしているものがある（例えば、特許文献１参照。）。
【特許文献１】特開平８−１７４４７２号公報
【発明の開示】
【発明が解決しようとする課題】
【０００５】
しかしながら、従来技術（例えば、特許文献１参照。）においては、被記録媒体かき寄せ部及び案内部の位置が不変あり、多種類の被記録媒体を切断する際、被記録媒体の厚さが大きく異なるため、厚さの厚い被記録媒体に調整して被記録媒体かき寄せ部及び案内部を配置すると、厚さの薄い、且つ、剛度の小さな被記録媒体を切断する際、切断手段の刃が被記録媒体端部を押したことによる被記録媒体のたわみを抑えきることができず、被記録媒体の切り出し部分が斜めになる。また、厚さの薄い被記録媒体に調整して被記録媒体かき寄せ部及び案内部を配置すると、厚さの厚い被記録媒体を切断する際、案内部において被記録媒体端部を押してしまい、切断できなくなったり、フチなし印字の画像を出力する際、切断途中に案内部が印字面を擦ることにより、印字面に傷をつけてしまったりするという課題がある。
【０００６】
そこで、本発明は上記課題を解決するため、多種類の被記録媒体を切断する場合でも、被記録媒体の切り出し部分が斜めになったり、切断できなかったり、フチなし印字の画像の印字面に傷をつけてしまったりすることを防止する画像記録装置を提供することを目的とする。
【課題を解決するための手段】
【０００７】
上記課題を解決するため、以下の手段を有する。
【０００８】
（請求項１）
ロール状の被記録媒体を搬送する搬送手段と、前記搬送手段により搬送される前記被記録媒体に対して画像を記録するための記録ヘッドと、前記搬送手段により搬送される前記被記録媒体を切断する切断手段と、を有する画像記録装置において、
前記切断手段は、前記切断手段の切断方向先端側に配置され、前記被記録媒体を切断位置までガイドし、且つ、ガイド部高さの切換えが可能なガイド部材を有する。
【０００９】
これにより、各被記録媒体毎に最適なガイド部高さを設定し、被記録媒体を切断位置までガイドすることができるため、被記録媒体の切断時に、切断手段の刃が被記録媒体端部を押したことによる被記録媒体のたわみを抑えることができ、また、切断途中にガイド部材が印字面を擦ることがなく、多種類の被記録媒体を正確に切断することができる。
【００１０】
（請求項２）
前記ガイド部材は、前記被記録媒体の厚さに応じて、ガイド部高さが切換わる。
【００１１】
この場合、ガイド部材と被記録媒体との隙間を適正に保つことができ、厚さが異なる多種類の被記録媒体を正確に切断することができる。
【発明の効果】
【００１２】
本発明の画像記録装置は、
（１）切断手段は、切断手段の切断方向先端側に配置され、被記録媒体を切断位置までガイドし、且つ、ガイド部高さの切換えが可能なガイド部材を有しているため、各被記録媒体毎に最適なガイド部高さを設定し、被記録媒体を切断位置までガイドすることができるため、被記録媒体の切断時に、切断手段の刃が被記録媒体端部を押したことによる被記録媒体のたわみを抑えることができ、また、切断途中にガイド部材が印字面を擦ることがなく、多種類の被記録媒体を正確に切断することができる。
【００１３】
（２）ガイド部材は、被記録媒体の厚さに応じて、ガイド部高さが切換わるため、することができる。ガイド部材と被記録媒体との隙間を適正に保つことができ、厚さが異なる多種類の被記録媒体を正確に切断することができる。
【発明を実施するための最良の形態】
【００１４】
次に、本発明の実施の形態について図面を参照して説明する。
【００１５】
図１に示すプリンタは、シリアルタイプのインクジェットプリンタであり、被記録媒体が給紙され、スタック部材に排紙されるまでの一連の動作について説明する。まず、被記録媒体１０１が搬送ローラ３により給紙され、記録手段としての記録ヘッド１と被記録媒体１０１とのギャップを保証し、かつプリンタ本体のシャーシを兼用するプラテン４の上部を、記録ヘッド１がレール２の軸線に沿って往復動作を行う。記録ヘッド１の１回のスキャンの往動又は復動により画像を記録すると、矢印Ａの方向に搬送ローラ３が被記録媒体１０１を間欠的に所定のピッチで送り、その後にまた記録ヘッド１を移動させて画像の記録を行う。これを繰り返してページ全体に画像を記録する。被記録媒体の記録済み部１０１ａは、排紙部材７に案内されてプリンタの外部に排紙される。
【００１６】
画像記録が終了すると、搬送ローラ３により所定の切断位置まで被記録媒体１０１を搬送する。切断動作の信号により、モータ３０が駆動され、丸刃ユニット１０が左側から矢印Ｂの方向に移動され、切断後の位置１０ａまで右側に移動する。この際、カットライン１０３に沿って切断が行われ、搬送方向（矢印Ａの方向）の下流側にある記録済み部１０１ａを切り離す。なお、カットライン１０３は固定刃６の刃先に一致する。シート状に切断された記録済み部１０１ａは、排紙部材７よりも下方に配置されているスタック部材８に排紙される。なお、プラテン４の通紙面と、固定刃６の上面の関係は、固定刃６の上面の方がやや低く、固定刃６の上面と、排紙部材７の上面の関係は、排紙部材７の上面の方がやや低い。したがって、これらは被記録媒体１０１が搬送される方向に対して、漸次低位に配置されている。
【００１７】
次に、図２及び図３を参照して、切断装置の構成について説明する。まず、フレーム５は、断面が複数のＬ字状を組み合わせた形状に折り曲げられている。直壁部５ｄは、プラテン４に取り付けられる。平面部５ｃの上面には、直線状の固定刃６が長手方向に沿って、両面テープや接着剤またはスポット溶接等の手段によって固定され、固定刃６は刃先６ａが平面部５ｃの縁から突出するように配置されている。また、平面部５ｃの下面には、固定刃の刃先６ａと平行になるように延在する帯板上のガイド部５ｂが設けられ、また、固定刃６の下面と平行になるように延在する帯板状のガイド部５ａが設けられている。
【００１８】
移動台１１は、固定刃６の下方に設けられているベース１３と、固定刃の刃先６ａを跨いで延びるアーム１４と、交換可能な丸刃ホルダ２０の係止部材１２を具備している。ベース１３は、移動台１１の下方に設けられ、ガイド部５ａ、５ｂの断面形状に対応した凹型を形成し、摺動部材１５ａ、１５ｂとがほぼ対向して、ガイド５ｂをくわえ込むように配置されている。係止部材１２は、固定刃６の上面側に配置され、アーム１４でベース１３と連結されており、丸刃ホルダ２０の着脱を可能にしている。このように移動台１１は、係止部材１２、ベース１３、アーム１４により、フレーム５のガイド部５ａ、５ｂに沿って移動可能に、一体的に構成される。摺動部材１５ａ、１５ｂは、ベース１３の両側に各々２個ずつ設けられており、摺動部材１５ａ、１５ｂがガイド部５ｂを僅かの隙間をもって挟まれるように配置され、これによって移動台１１は被記録媒体１０１の搬送方向（矢印Ａの方向）に規制される。また、摺動部材１５ａは、固定刃６の下面とガイド部５ａに僅かの隙間をもって挟まれるように配置されており、これによって移動台１１は高さ方向が規制される。
【００１９】
丸刃ホルダ２０は、筒状の一部が縦割り状に切除されて、丸刃２４の刃先が露出する開口が開けられた筒体２２を備えて形成される。筒体２２は、一方の端部に筒体２２を閉塞する筒底２３が一体的に形成され、他方の端部には筒体２２を拡径したフランジ２３ｂが形成されている。フランジ２３ｂが形成された筒体２２の端部は、フランジ２３ｂと同径の筒蓋２１が組みつけられて閉塞されている。丸刃２４は、軸受２７を介して軸部材２９に軸支されている。軸受２７は、軸部材２９が挿通して回転可能に軸支されている丸刃取付け部２７ａと回転部とが一体的に形成されている。軸受２７の外周は、丸刃２４を丸刃取付け部２７ａと円盤状の挟持部材２６で挟み、丸刃２４と挟持部材２６の軸芯に開けられた穴に嵌合する。また、挟持部材２６の外周部には、溝が形成され、この溝にはＯ−リング２５が架けられている。少なくとも丸刃２４、Ｏ−リング２５、挟持部材２６、軸受２７は一体的に回転する。このＯ−リング２５は、装着直前の状態で固定刃６とオーバラップＩを形成し、丸刃ホルダー２０を係止部材１２に装着すると、固定刃６の上面に弾性変形し圧接するように配置され、切断時には、被記録媒体１０１をニップ点Ｊで踏みつけ、このときに生じる摩擦力により移動台１１の移動に合わせて回転し、その回転を丸刃２４に伝える。筒底２３に形成された軸部材２９の一方の端部を保持する凹部２３ａと、筒蓋２１に形成された軸部材２９の他方の端部を保持する凹部２１ａは、筒体２２の軸芯上に配置され、筒体２２と軸部材２９とが同軸になっている。
【００２０】
次に、図４、図５及び図６を参照して、ガイド部材３１について説明する。ガイド部材３１は、丸刃ユニット１０に設けられ、被記録媒体１０１の切断時に、被記録媒体１０１のたわみをガイド部３１ａにより抑えるためのものである。また、丸刃ユニット１０が、カットジャムをおこした際、ユーザが丸刃ユニット１０を移動させるための操作部にもなっている。ガイド部材３１には、レバー３２及びカム３４が配置されており、ガイド部材３１は不図示の圧縮バネにより、固定刃６とガイド部３１ａの隙間が広がる方向に付勢されている。図４に示している状態から、プリンタ本体側に配置されている切換えレバー３３を不図示のステッピングモータにより、支点３５を中心にＣ方向に回転させると、レバー３２は支点３６を中心にＧ方向に回転、カム３４は支点３６を中心にＥ方向に回転するため、カム３４により高さ方向を規制されているガイド部材３１は、図５に示しているように上方向に移動する。すなわち、ガイド部材３１は、固定刃６とガイド部３１ａの隙間が広がる方向に配置される。また、図５に示している状態から、切換えレバー３３を不図示のステッピングモータにより、支点３５を中心にＤ方向に回転させると、レバー３２は支点３６を中心にＨ方向に回転、カム３４は支点３６を中心にＦ方向に回転するため、カム３４により高さ方向を規制されているガイド部材３１は、図５に示しているように下方向に移動する。すなわち、ガイド部材３１は、固定刃６とガイド部３１ａの隙間が狭まる方向に配置される。
【００２１】
次に、図１、図４、図５及び図６を参照して、被記録媒体１０１の切断時の作用について説明する。被記録媒体１０１は、ページ全体に画像を記録されると、搬送ローラ３で所定の切断位置まで搬送される。丸刃ユニット１０が左側から矢印Ｂの方向に移動され、固定刃６と丸刃ホルダー２０によりカットライン１０３の位置で切断される。この際、切り出し部分の被記録媒体１０１は、図６に示すように、丸刃２４により押されることによりたわみが発生する。このたわみを抑えることができないと、被記録媒体１０１の切り出し部分が斜めになる。
【００２２】
本実施形態の場合、記録ヘッド１による被記録媒体１０１への画像記録が始まる前に、プリンタ本体において被記録媒体１０１の種類が設定される。設定された被記録媒体１０１から被記録媒体１０１の厚さが認識できるため、ガイド部材３１は、被記録媒体１０１の厚さが薄い場合は、図４に示している状態に、被記録媒体１０１の厚さが厚い場合は、図５に示している状態に配置される。したがって、厚さの薄い被記録媒体１０１を切断する際、ガイド部材３１は、図４に示している状態となり、被記録媒体１０１とガイド部３１ａの隙間を最適値に設定することができ、被記録媒体１０１のたわみを抑えることにより、被記録媒体１０１の切り出し部分が斜めになることを防止し、被記録媒体１０１を正確に切断することができる。また、厚さの厚い被記録媒体１０１を切断する際、ガイド部材３１は、図５に示している状態となり、被記録媒体１０１とガイド部３１ａの隙間を最適値に設定することができ、被記録媒体１０１のたわみを抑えることにより、被記録媒体１０１の切り出し部分が斜めになることを防止し、且つ、フチなし印字の画像を切断する際にも、被記録媒体１０１の幅方向全域にわたって、ガイド部３１ａが印字面を擦ることがなく、印字面に傷をつけることを防止し、被記録媒体１０１を正確に切断することができる。
【００２３】
なお、本実施形態では、ガイド部材３１の高さ切換えを、切換えレバー３３により、自動で行っているが、ユーザがレバー３２を切換えることにより、手動で行っても良い。
【００２４】
以上説明したように、本実施形態の場合、丸刃ユニット１０に、ガイド部３１ａの高さの切換えが可能なガイド部材３１を有しているため、厚さの薄い被記録媒体１０１を切断する際は、固定刃６とガイド部３１ａの隙間を狭くすることができ、また、厚さの厚い被記録媒体１０１を切断する際は、固定刃６とガイド部３１ａの隙間を広くすることができるため、多種類の被記録媒体１０１に対して、被記録媒体１０１の切り出し部分が斜めになったり、フチなし印字の画像を切断する際にも、印字面に傷をつけたりすることがなく、被記録媒体１０１を正確に切断することができる。
【図面の簡単な説明】
【００２５】
【図１】本発明をインクジェットプリンタに適用した場合の主要部斜視図である。
【図２】脱着時の丸刃ホルダーと固定刃との関係を示す断面図である。
【図３】装着時の丸刃ホルダーと固定刃との関係を示す断面図である。
【図４】厚さの薄い被記録媒体を切断する際のガイド部材の状態を示す断面図である。
【図５】厚さの厚い被記録媒体を切断する際のガイド部材の状態を示す断面図である。
【図６】切断時のガイド部材と被記録媒体の関係を示す断面図である。
【符号の説明】
【００２６】
１  キャリッジ
１ａ  記録ヘッド
２  レール
３  搬送ローラ
４  プラテン
５  フレーム
５ａ、５ｂ  ガイド部
５ｃ  平面部
５ｄ  直壁部
６  固定刃
６ａ  刃先
７  排紙部材
１０  丸刃ユニット
１０ａ  切断した後の位置
１１  移動台
１２  係止部材
１３  ベース
１４  アーム
１５ａ、１５ｂ  摺動部材
２０  丸刃ホルダー
２１  筒蓋
２１ａ  凹部
２２  筒体
２３  筒底
２３ａ  凹部
２３ｂ  フランジ
２４  丸刃
２５  Ｏ−リング
２６  挟持部材
２７  軸受
２７ａ  丸刃取付け部
２８  スプリング
２９  軸部材
３０  モータ
３１  ガイド部材
３１ａ  ガイド部
３２  レバー
３３  切換えレバー
３４  カム
３５  支点
３６  支点
１０１  被記録媒体
１０１ａ  記録済み部
１０３  カットライン
Ａ  搬送方向
Ｂ  切断方向
Ｃ  切換えレバー回転方向
Ｄ  切換えレバー回転方向
Ｅ  カム回転方向
Ｆ  カム回転方向
Ｇ  レバー回転方向
Ｈ  レバー回転方向
Ｉ  オーバラップ量
Ｊ  ニップ点
【図１】
2007144721.tif 000003
【図２】
2007144721.tif 000004
【図３】
2007144721.tif 000005
【図４】
2007144721.tif 000006
【図５】
2007144721.tif 000007
【図６】
2007144721.tif 000008